(57)【要約】【課題】加熱調理器に備わっている部材を用いて位置決め部材を兼用させることができ、部材点数が減り、構成が簡略化し、コストが安くなり、更に、外観も良くなる。【解決手段】調理器本体１に、前面が開口したグリル庫２と、グリル庫２の前面開口部３を開閉するためのグリル扉４を有するグリル５を備える。調理器本体１の上記グリル庫２の前面開口部３の側方位置に、操作部６を設けた回動体７をその下部を支点として回動可能に取付ける。グリル扉４に位置決め用係合部８を設ける。グリル扉４でグリル庫２の前面開口部３を閉じた状態で、グリル扉４に設けた位置決め用係合部８が該回動体７の回動支点となる軸９に係合してグリル扉４の位置決めがなされる。【選択図】図１
2010017393.tif 000002
【特許請求の範囲】
【請求項１】
調理器本体に、前面が開口したグリル庫と、該グリル庫の前面開口部を開閉するためのグリル扉を有するグリルを備え、調理器本体の上記グリル庫の前面開口部の側方位置に、操作部を設けた回動体をその下部を支点として回動可能に取付け、上記グリル扉に位置決め用係合部を設け、グリル扉でグリル庫の前面開口部を閉じた状態で、上記グリル扉に設けた位置決め用係合部が回動体の回動支点となる軸に係合してグリル扉の位置決めがなされるように構成してあることを特徴とする加熱調理器。
【発明の詳細な説明】
【技術分野】
【０００１】
本発明は、加熱調理器、特に、加熱調理器におけるグリル扉装置の技術に関するものである。
【背景技術】
【０００２】
従来のグリルを備えた加熱調理器は、加熱調理器の主体を構成する調理器本体に、前面が開口したグリル庫を設け、グリルパンに該グリルパンの前方に延びる部材を介してグリル扉を一体に備え、このグリルパンをグリル扉を手で持って上記グリル庫の前面開口部から内部に引き出し自在に収納し、収納状態で、グリル扉によりグリル庫の前面の開口を閉じるようなっている。
【０００３】
上記のような構成のグリルを備えた加熱調理器において、グリル扉を閉じた際に、グリル扉を正確な閉じ位置に位置決めするための技術が従来から特許文献１により知られている。
【０００４】
この特許文献１に示された従来例は、グリル扉側又は調理器本体側の一方に雄型の位置決め部材を設けると共に、他方に雌型の位置決め部材を設け、グリル庫の前面の開口をグリル扉で閉じた際に、雄型の位置決め部材と雌型の位置決め部材が係合して、グリル扉の閉じる位置を自動的に補正し、適正な閉じ位置に位置決め保持するようになっている。
【０００５】
ところが、上記従来例にあっては、グリル扉側と、調理器本体側にそれぞれ、位置決め部材をわざわざ形成する必要があり、特に、調理器本体側には、構造上必要でない部材である位置決め専用の位置決め部材を別途特別に作成しなければならず、部材点数が増えて構成が複雑となって、コストが高くなり、更に、フォルムがすっきりしないという問題がある。
【特許文献１】実公平４−２５０８７号公報
【発明の開示】
【発明が解決しようとする課題】
【０００６】
本発明は上記の従来の問題点に鑑みて発明したものであって、加熱調理器に備わっている部材を用いて位置決め部材を兼用させることができ、部材点数が減り、構成が簡略化し、コストが安くなり、更に、外観も良くなる加熱調理器を提供することを課題とするものである。
【課題を解決するための手段】
【０００７】
上記課題を解決するために本発明に係る加熱調理器は、調理器本体１に、前面が開口したグリル庫２と、該グリル庫２の前面開口部３を開閉するためのグリル扉４を有するグリル５を備え、調理器本体１の上記グリル庫２の前面開口部３の側方位置に、操作部６を設けた回動体７をその下部を支点として回動可能に取付け、上記グリル扉４に位置決め用係合部８を設け、グリル扉４でグリル庫２の前面開口部３を閉じた状態で、上記グリル扉４に設けた位置決め用係合部８が該回動体７の回動支点となる軸９に係合してグリル扉４の位置決めがなされるように構成してあることを特徴とするものである。
【０００８】
このような構成とすることで、グリル扉４でグリル庫２の前面開口部３を閉じると、グリル扉４に設けた位置決め用係合部８が、操作部６を設けた回動体７の回動支点となる軸９に係合して、グリル扉４の閉じる位置を自動的に補正し、適正な閉じ位置に位置決め保持することができる。このように、本発明は操作部６を設けた回動体７の軸９を位置決め部材として兼用してグリル扉４の閉じ位置の位置決めができる。
【発明の効果】
【０００９】
本発明は、上記のように、グリル扉に設けた位置決め用係合部を、操作部を設けた回動体の軸に係合してグリル扉の位置決めがなされるように構成してあるので、回動体の軸を位置決め部材として兼用してグリル庫の閉じ位置の位置決めができる。このように加熱調理器に備わっている軸をグリル扉を閉じた際の位置決め部材として兼用できるので、部材点数が少なく、構成が簡略化し、コストが安くなる。しかも、操作部を設けた回動体の回動支点と、グリル扉を閉じた際の位置決め部材とが共通の軸により兼用しているので、調理器本体の前面において、上記のように閉じた状態で軸により位置決め保持されているグリル扉と、軸を回動支点とした回動体との相互の位置関係が正確な位置関係となり、相互の位置ずれをなくして、すっきりした一体感を維持できて、外観がよくなる。
【発明を実施するための最良の形態】
【００１０】
以下、本発明を添付図面に示す実施形態に基いて説明する。
【００１１】
本発明の加熱調理器１０は、調理器本体１にグリル５を備えたものである。以下の説明では、加熱調理器１０として、ガスこんろ部１１を有する調理器本体１にガスを熱源としたグリル５を備えたガス加熱調理器の例で説明するが、本発明における加熱調理器１０は、必ずしもガス加熱調理器にのみ限定されず、電気を熱源とする加熱調理器であってもよいのはもちろんである。
【００１２】
加熱調理器１０（ガス加熱調理器）は、主体を構成する調理器本体１に加熱部であるガスこんろ部１１とグリル５を備えたもので、添付図面にはシステムキッチンに装備されるドロップインタイプの加熱調理器１０が示してある。
【００１３】
調理器本体１の左右方向の中央部にはグリル５が配設してあり、該グリル５は調理器本体１の左右方向の中央部内に配設した前面が開口したグリル庫２と、グリル庫２内を加熱するグリル用ガスバーナ（図示せず）と、該グリル庫２内に配置され且つグリル庫２の前面開口部３から前方に引き出し自在となったグリルパン１２と、該グリルパン１２の前方に設けられたグリル扉４とでグリル５が構成してある。
【００１４】
グリルパン１２の前方にグリル扉４を設けるに当たっては、例えば、グリル扉４の下部から背方に向けて支持枠（図示せず）を突設し、該支持枠に上方からグリルパン１２を着脱自在に嵌め込んで取付けることで、グリルパン１２の前方に連結手段である支持枠を介してグリル扉４が一体に設けられることになる。
【００１５】
このグリルパン１２の前方に支持枠を介して一体となったグリル扉４を手で持って、グリル庫２の前面開口部３から内部にグリルパン１２を入れ、グリル扉４で前面開口部３を閉じるようになっていて、このようにグリル扉４を閉じることで、該グリル扉４が調理器本体１の前面の中央部を構成することになる。
【００１６】
図７にはグリル扉４の一例が示してあり、本例では扉本体４ａに扉ガラス１３と扉裏板１４を設けてあって、前方より扉ガラス１３を介してグリル庫２内が目視できるようになっている。
【００１７】
グリル扉４には位置決め用係合部８が設けてある。図７の実施形態では、合成樹脂の一体成形で形成した扉本体４ａに位置決め用係合部８を設けた例を示してある。位置決め用係合部８は例えば、後方が開口した後ろ向きＵ字状をした溝８ａにより位置決め用係合部８を構成してあり、該溝８ａの後開口は開口巾が後端に行く程巾広となるように傾斜ガイド８ｂが形成してある。この溝８ａよりなる位置決め用係合部８は合成樹脂により扉本体４ａを一体に形成する際に同時に位置決め用係合部８を一体に形成してあり、したがって、位置決め用係合部８を別途形成して取付ける必要がないので、構成が簡略化できる。
【００１８】
調理器本体１の中央部のグリル庫２の前面開口部３の両側方位置の下部にはそれぞれ、回動体７が回動自在に配設してあり、回動体７は下部を支点として回動可能となっている。
【００１９】
実施例では、調理器本体１の前開口のグリル庫２を配設した部分の側方に配設して取付ける枠体１８の下部に回動体７の下部を回動の支点となる軸９により回動自在に取付けてある。枠体１８は、図２に示すように、日の字状をしており、下部の開口２０に上記のように回動体７が軸９により回動自在に取付けられ、上部の開口２１には後述の点火・消火手動操作部１５を取付けるようになっている。なお、図２においては、回動体７の前面を構成する前面板を取付ける前の状態を示している。
【００２０】
回動体７は側面視で略扇形状又は略三角形状をしており、上面に操作部６が設けてあって、いわゆるカンガルーポケット式操作具を構成している。
【００２１】
回動体７は下部を軸支した軸９を支点として図５、図６に示すように前方に突出するように回動させて上面の操作部６を露出させた状態が、操作部６を使用可能とする状態であり、また、軸９を支点として回動体７を上記と逆方向に回動させて、図３、図４に示すように、上面の操作部６を調理器本体１内に収納して外部に露出しないようにした状態が、操作部６の非使用状態であり、この非使用状態においては、回動体７の前面が調理器本体１の前面の他の部分と面一又はほぼ面一となって、該前面が、調理器本体１の前面の左右両側部の下部を構成することになる。
【００２２】
調理器本体１の前面の左右両側下部にそれぞれ回動自在に設けられる左右の回動体７の上面に設けられる操作部６は、タッチスイッチ式の入力部１６を設けた操作パネル１７を回動体７の上面に設けることで構成してある。
【００２３】
左右の回動体７にそれぞれ設けた操作パネル１７のうち、一方の操作パネル１７に設けた入力部１６としては、例えば、グリル５に関する操作を行うためのグリル用調理設定入力部１６ｂであり、他方の操作パネル１７に設けた入力部１６としては、上記複数のガスこんろ部１１のうち温度センサ付きガスこんろ部における調理設定の入力を行うためのガスこんろ部用調理設定入力部１６ａとなっている。
【００２４】
上記グリル用調理設定入力部１６ｂとしては、例えば、グリル５の点火・消火操作をするための点火・消火スイッチ、グリル５による調理時間（焼成時間）を設定するためのタイマスイッチ、上火、下火の火力を切換るための火力切替スイッチ、焼成するメニューを選んで該当する焼成物に対応した焼成制御を選択するためのメニュースイッチ、焼き加減を調整するための焼き加減スイッチ、各入力を取り消すための取消しスイッチ等を挙げることができる。
【００２５】
また、温度センサ付きガスこんろ部１１による調理設定の入力を行うためのガスこんろ部用調理設定入力部１６ａは例えば、温度センサ付きガスこんろ部１１による調理時間を設定するためのタイマスイッチ、揚げ物、炊飯、湯沸し等の調理メニューを設定するためのメニュースイッチ、取消しスイッチ等を挙げることができる。
【００２６】
上記の左右の回動体７の下部の回動のための支点である軸９の、グリル庫２の前面開口部３側に位置する外端部が、それぞれ、グリル庫２の前面開口部３の開口縁部の両側下部のやや前方に位置しており、本発明においては、この軸９の外端部が被係合部９ａとなっている。
【００２７】
また、調理器本体１の前面の側部の上部には複数のガスこんろ部１１をそれぞれ個別に点火、消火操作をするための複数の点火・消火手動操作部１５が設けてある。
【００２８】
点火・消火手動操作部１５は、前後方向に移動自在な押釦により構成してあり、各点火・消火手動操作部１５は添付図面においては前後方向に移動自在な押釦により構成してあり、点火・消火手動操作部１５を構成する押釦は前後方向に移動自在で且つ前方に突出した状態で回動自在となっている。消火状態では点火・消火手動操作部１５が後方に押されて押釦よりなる点火・消火手動操作部１５の前面が調理器本体１の前面と略面一状態となるように後退状態が保持されている。
【００２９】
ガスこんろ部１１の使用に当たっては、押釦よりなる点火・消火手動操作部１５を押し操作して点火操作をすることで、後退していた点火・消火手動操作部１５が前方に突出すると共にガスこんろ部１１に点火される。この押釦よりなる点火・消火手動操作部１５が前方に突出した状態で点火・消火手動操作部１５を指で摘んで回動操作することでガスこんろ部１１の火力調整ができるようになっている。一方、消火にあたっては、前方に突出している点火・消火手動操作部１５を後方に押し操作することで、ガスこんろ部１１の消火を行うと共に、点火・消火手動操作部１５の前面が調理器本体１の前面と略面一状態となるように後退状態で保持される。
【００３０】
上記のような構成の加熱調理器１０において、グリル５の使用に当たっては、グリル扉４を手前に引き出すことで、支持枠を介して一体となったグリルパン１２をグリル庫２の前面開口部３から引き出し、グリルパン１２あるいは、支持枠に支持した焼き網や加熱容器等に被調理物を載せ（あるいは入れ）、その後、グリル扉４を手に持ってグリル庫２の前面開口部３から内部にグリルパン１２を入れ、グリル扉４で前面開口部３を閉じるものであり、この際、図１に示される位置決め用係合部８を構成する後ろ向きＵ字状をした溝８ａが、軸９の外端部の被係合部９ａに係止してグリル扉４の上下方向の位置決めが行われ、グリル扉４が適正な閉じ位置となるように自動的に補正して位置決めして保持される。このグリル扉４の位置決め保持操作に当って、溝８ａの後開口に傾斜ガイド８ｂを設けておくことで、溝８ａを軸９の外端部の被係合部９ａにスムーズに嵌め込んで係合して位置決めすることができる。
【００３１】
このように、本発明においては、回動体７の回動の支点となる軸９の外端部を被係合部９ａとして位置決め用係合部８と係合自在としているので、グリル扉４を閉じた場合における位置決めを行うための部材として、加熱調理器１０に備わっている回動体７の軸９を兼用することができ、この結果、調理器本体１側に特別に別途位置決め部材を取付ける必要がなく、部材点数が少なくなり、構成が簡略化するものであって、コストが安くなる。
【００３２】
また、回動体７は、軸９により調理器本体１側に対して位置決めされて回動自在に取付けられているので、この回動自在な回動体７を調理器本体１側に対して位置決めして取付けるための手段である軸９が、そのままグリル扉４を後方に移動して閉じた際における位置決め手段を兼用しているので、回動体７を軸９を支点として回動することで、回動体７を閉じた状態における回動体７の前面と、軸９を位置決め手段としてグリル扉４を閉じた状態におけるグリル扉４の前面との相互の位置関係が、共通の位置決め手段である軸９により相互に適性な位置関係となり、すっきりした一体感を維持できて、調理器本体１の前面の外観がよくなる。
【図面の簡単な説明】
【００３３】
【図１】本発明の加熱調理器を示し、グリル扉を閉位置から手前に少し引き出した状態を示す斜視図である。
【図２】（ａ）は同上に用いる回動体を軸により回動自在に枠体に取付けている状態を示す一部省略正面図であり、（ｂ）は同上の断面図である。
【図３】同上の加熱調理器のグリル扉を閉じ且つ回動体の操作部を非露出状態とした状態の斜視図である。
【図４】（ａ）は同上の平面図であり、（ｂ）は正面図であり、（ｃ）は側面図である。
【図５】同上の加熱調理器のグリル扉を閉じ且つ回動体の操作部を露出状態とした状態の斜視図である。
【図６】（ａ）は同上の平面図であり、（ｂ）は正面図であり、（ｃ）は側面図である。
【図７】グリル扉を示し、（ａ）は側面図であり、（ｂ）は背面図である。
【符号の説明】
【００３４】
１  調理器本体
２  グリル庫
３  前面開口部
４  グリル扉
５  グリル
６  操作部
７  回動体
８  位置決め用係合部
９  軸
【図１】
2010017393.tif 000003
【図２】
2010017393.tif 000004
【図３】
2010017393.tif 000005
【図４】
2010017393.tif 000006
【図５】
2010017393.tif 000007
【図６】
2010017393.tif 000008
【図７】
2010017393.tif 000009